(57)【要約】【課題】本発明の解決しようとする課題は、紙製容器を冷やした場合でも、暖めた場合でも開封後のタブテープを確実に保持することができ、しかも開封が容易な紙製のステイオンタブテープを提案するものである。【解決手段】紙製容器の天板に形成された開口部を封緘するために天板の表面に装着される紙製タブテープであって、天板の縁部を超えて突出するつまみ部と、開封後には該つまみ部を折り返して挿入可能な切り込みを有し、開口部を密封する開口部シールと仮付けシールによって、天板に密着しており、開口部シール開封後は、仮付けシールによって、天板に残留することを特徴とする紙製タブテープである。【選択図】図１
2010215261.tif 000002
【特許請求の範囲】
【請求項１】
紙製容器の天板に形成された開口部を封緘するために天板の表面に装着される紙製タブテープであって、天板の縁部を超えて突出するつまみ部と、開封後には該つまみ部を折り返して挿入可能な切り込みを有し、開口部を密封する開口部シールと仮付けシールによって、天板に密着しており、開口部シール開封後は、仮付けシールによって、天板に残留することを特徴とする紙製タブテープ。
【請求項２】
紙製タブテープのつまみ部の反対側の端部と、前記切り込みとの間に、凹型エンボスを設けたことを特徴とする請求項１に記載の紙製タブテープ。
【発明の詳細な説明】
【技術分野】
【０００１】
本発明は、紙製容器の開口部を封緘するための紙製タブテープに関し、開封後も容器に留まって散逸しない新規なステイオンタブに関する。
【背景技術】
【０００２】
近年、環境保護に対する意識の高まりから、再生産可能な資源である紙を主材料とした紙製容器が注目されている。紙製容器の開口部を封緘するタブテープとしては、従来はプラスチックフィルムやアルミ箔などを組み合わせた材料から作られたタブテープが使用されていた（特許文献１、第００１３段落参照）。しかし開封後のタブテープが散逸してごみとなる問題が発生し、この問題を防ぐために、開封後も容器に留まるいわゆるステイオンタブに対する要望が高まってきた。しかしながら容器本体が紙製である以上、容器本体に留まって、容器本体と共に廃棄されるタブテープもまた、紙製であることが好ましいのは、言うまでもないことである。
【０００３】
紙製のステイオンタブの例としては、紙製容器の天板の縁部を超えて胴部材まで達する短冊状のタブテープであって、容器本体の開口部を密封する飲み口シール部に連続してタブテープ固定部を設けた紙製タブテープが弊社より提案されている（特許文献２参照）。この紙製タブテープは、天板からはみ出した部分をつまみ部とし、このつまみ部の内面に粘着層を形成したものである。開封後のタブテープは、タブテープ固定部によって保持され、散逸することはない。また開封後には、タブテープのつまみ部に設けた粘着層を容器の天板に仮着させることにより、内容物を飲むときに、タブテープが邪魔にならないようにしたものである。
【先行技術文献】
【特許文献】
【０００４】
【特許文献１】特開平10-129699号公報
【特許文献２】特開2005-178830号公報
【発明の概要】
【発明が解決しようとする課題】
【０００５】
特許文献２に記載された紙製タブテープは、飲用時のタブテープの固定方法として粘着層の粘着作用を利用したものであるが、冷蔵庫で冷やした容器の外表面が結露した場合や逆に容器ごと暖めたような場合に、粘着剤の働きが十分発揮されず、タブテープの固定がうまく行かない場合があるという問題があることが分かった。また、タブテープの内面に、部分的に粘着加工を施すことは、工程が煩雑であり、コスト面においても有利とは言えなかった。
【０００６】
本発明の解決しようとする課題は、紙製容器を冷やした場合でも、暖めた場合でも開封後のタブテープを確実に保持することができ、しかも開封が容易な紙製のステイオンタブテープを提案するものである。
【課題を解決するための手段】
【０００７】
上記の課題を解決するための手段として、請求項１に記載の発明は、紙製容器の天板に形成された開口部を封緘するために天板の表面に装着される紙製タブテープであって、天板の縁部を超えて突出するつまみ部と、開封後には該つまみ部を折り返して挿入可能な切り込みを有し、開口部を密封する開口部シールと仮付けシールによって、天板に密着しており、開口部シール開封後は、仮付けシールによって、天板に残留することを特徴とする
紙製タブテープである。
【０００８】
また、請求項２に記載の発明は、紙製タブテープのつまみ部の反対側の端部と、前記切り込みとの間に、凹型エンボスを設けたことを特徴とする請求項１に記載の紙製タブテープである。
【発明の効果】
【０００９】
本発明に係る紙製タブテープは、天板の縁部を超えて突出するつまみ部を有するので、開封に当たっては、このつまみ部を手掛かりとして、容易に開封することができる。また、開封後には、つまみ部を折り返して挿入可能な切り込みを有するので、開封したタブテープを折り返してこの切り込みに挿入することにより、容器内の内容物の温度に関係なく確実に固定することができる。また開口部に直接口をつけて内容物を飲むような場合にも、タブテープが邪魔になることはない。また、タブテープは、開口部を密封する開口部シールと仮付けシールによって、天板に密着しており、開口部シール開封後は、仮付けシールによって、天板に残留するので、タブテープが散逸してごみになるようなことがない。また、タブテープは、紙製であるから、容器本体の紙製容器と共に紙としてリサイクルまたは廃棄することができる。
【００１０】
また、紙製タブテープのつまみ部の反対側の端部と、切り込みとの間に、凹型エンボスを設けた場合には、凹型エンボスの裏面が凸状となるために、切り込みの凹型エンボス側が隆起するため、切り込みへのつまみ部の挿入が容易となる。また挿入されたつまみ部は、該凹型エンボスの裏面の凸部によって圧迫されるので、確実に係止するようになる。
【図面の簡単な説明】
【００１１】
【図１】図１は、本発明に係る紙製タブテープの一実施態様を用いた紙製容器を示した平面模式図である。
【図２】図２は、図１に示した紙製容器の全体を示した斜視図である。
【図３】図３は、図１に示した紙製容器の未開封の状態を示した断面模式図である。
【図４】図４は、図１に示した紙製容器の開封後の状態を示した断面模式図である。
【図５】図５は、本発明に係る紙製タブテープの層構成の一例を示した断面模式図である。
【発明を実施するための形態】
【００１２】
本発明に係る紙製タブテープについて、図面を参照しながら詳細に説明する。
図１は、本発明に係る紙製タブテープの一実施態様を用いた紙製容器を示した平面模式図である。本発明に係る紙製タブテープ５は、紙製容器１の天板３に形成された開口部４を封緘するために天板３の表面に装着される紙製タブテープであって、天板３の縁部を超えて突出するつまみ部６と、該つまみ部６を折り返して挿入可能な切り込み７を有し、開口部を密封する開口部シール８と仮付けシール９によって、天板３に密着している。図１に示した実施態様においては、紙製タブテープ５のつまみ部６の反対側の端部と、切り込み７との間に、凹型エンボス１０が設けられている。
【００１３】
紙製容器１を開封する場合には、つまみ部６が天板３の縁部よりも外側に突出しているので、このつまみ部６を持って、容易に開封することができる。開口部シール８開封後は、紙製タブテープ５は、仮付けシール９によって、天板３に付着したまま残留するので、タブテープが散逸してごみになるようなことはない。
【００１４】
図２は、図１に示した紙製容器の全体を示した斜視図である。天板３は、側板２の上端部よりも低い位置にあるため、天板３に形成された開口部４を封緘する紙製タブテープ５を引き剥がす際に、つまみ部６が存在しない場合には、手掛かりが掴みにくいものであるが、つまみ部６が天板３の縁部よりも外側に突出しているために、これを手掛かりとして容易に開封が可能となっている。
【００１５】
図３は、図１に示した紙製容器の未開封の状態を示した断面模式図である。開口部４を有する天板３は、周囲を折曲げて立ち上げ、皿状に成形してある。この立ち上げ部分を巻き込むように、側板２が成形されている。天板３と側板２の内面側には、熱融着可能なシーラント層が設けられているので、端部を熱融着した紙製容器の内面は、密封された状態となる。
【００１６】
開口部４を封緘する紙製タブテープ５は、開口部４の周囲の開口部シール８と仮付けシール９とによって天板３に密着している。紙製タブテープ５には、天板３の縁部を超えて突出するつまみ部６が設けてある。また開封後には、つまみ部６を折り返して挿入可能な切り込み７が設けられている。この実施態様においては、紙製タブテープ５のつまみ部６の反対側の端部と、切り込み７との間に、凹型エンボス１０が設けられている。
【００１７】
凹型エンボス１０が設けられていることにより、紙製タブテープ５の裏面に突起が形成されるため、切り込み７の凹型エンボス１０側が隆起するために、開封後につまみ部６を切り込み７に挿入しやすくなる。
【００１８】
図４は、図１に示した紙製容器の開封後の状態を示した断面模式図である。この図のように、開封後の紙製タブテープ５のつまみ部６を切り込み７に挿入することにより、固定することができるので、開口部４に直接口をつけて内容物を飲むような場合にも、紙製タブテープ５が邪魔にならない。紙製タブテープ５は、開封後も仮止めシール９によって天板３に固定されているので、散逸してごみになることはない。またつまみ部６を切り込み７に挿入した時、凹型エンボス１０の裏面側の凸部がつまみ部６を圧迫するので、つまみ部６が抜けにくくなるという効果もある。
【００１９】
紙製タブテープの材料構成としては、内容物に応じて種々の層構成が用いられる。図５は、本発明に係る紙製タブテープの層構成の一例を示した断面模式図である。紙基材１３の表面側に印刷絵柄層１２と表面フィルム層１１が設けられており、紙基材１３の裏面側には、バリア層１４、裏面フィルム層１５、ピール層１６が設けられている。表面フィルム層としては、公知の熱可塑性樹脂が使用されるが、紙基材１３への吸湿を防ぐ意味からポリエチレンテレフタレート（ＰＥＴ）フィルム、ポリエチレンナフタレート（ＰＥＮ）フィルム等のポリエステル系合成樹脂フィルムが好ましく用いられる。バリア層１４は、紙製容器の開口部のガスバリア性を担保するものであり、二軸延伸されたＰＥＴフィルム、ポリアミドフィルム、ポリオレフィン系フィルムなどの延伸フィルム上に、酸化アルミニウムや酸化けい素などの無機化合物の薄膜を蒸着した無機物蒸着フィルムや、エチレンビニルアルコール（ＥＶＡ）フィルム、ポリ塩化ビニリデンフィルム等のガスバリア性合成樹脂フィルムや、アルミニウム箔などが用いられる。裏面フィルム層１５は、紙製タブテープの特に冷間破断強度を保証する目的で用いられるものであり、ポリアミド樹脂フィルムやＰＥＴフィルム等が好ましく用いられる。ピール層１６としては、天板表面の合成樹脂層と熱融着可能であり、しかも適度な剥離強度で剥離する材質であることが必要であり、具体的には、数種類のポリオレフィン樹脂をブレンドした低剥離強度タイプの未延伸ポリオレフィン樹脂フィルム等が使用できる。印刷絵柄層１２は、通常の包装材料用インキを用いて、グラビア印刷法、フレキソ印刷法、オフセット印刷法等によって印刷される。
【００２０】
本発明に係る紙製タブテープを、紙製容器の開口部に封緘する方法としては、まず紙製容器の天板の開口部に紙製タブテープを仮付けシールによって固定する。次に滅菌が完了した紙製容器の開口部から内容物を注入して充填する。最後に紙製タブテープを開口部シールして、封緘が完了する。
【００２１】
以上説明したように、本発明に係る紙製タブテープは、開封後のタブテープが紙製容器の天板に付着して残留しており、しかもつまみ部を折り返して切り込みに挿入するという物理的な手段によって、先端を固定することができるので、紙容器に直接口をつけて飲むような場合であっても、邪魔にならない。内容物を紙製容器ごと冷やしたり、あるいは暖めた場合であっても、安定して固定することが可能である。従って、本発明に係る紙製タブテープを使用した紙製容器は、冷却用にも加熱用にも使用することができる。
【符号の説明】
【００２２】
１・・・紙製容器
２・・・側板
３・・・天板
４・・・開口部
５・・・紙製タブテープ
６・・・つまみ部
７・・・切り込み
８・・・開口部シール
９・・・仮付けシール
１０・・・凹型エンボス
１１・・・表面フィルム層
１２・・・印刷絵柄層
１３・・・紙基材
１４・・・バリア層
１５・・・裏面フィルム層
１６・・・ピール層
【図１】
2010215261.tif 000003
【図２】
2010215261.tif 000004
【図３】
2010215261.tif 000005
【図４】
2010215261.tif 000006
【図５】
2010215261.tif 000007